(57)【要約】【課題】キャリアアグリゲーション(CA)を行うことが可能な通信システムにおいてセカンダリコンポーネントキャリア(SCC)を適切な契機でアクティブ化又は非アクティブ化できるようにすること。【解決手段】基地局は、ユーザ装置と通信を行う通信部と、プライマリコンポーネントキャリア(PCC)及びセカンダリコンポーネントキャリア(SCC)をユーザ装置毎に管理する管理部と、SCCをアクティブ化又は非アクティブ化することを示すSCCメッセージを少なくとも含む制御メッセージを生成する生成部とを有し、所定の測定対象についての測定値と閾値との比較結果に従って管理部がSCCをアクティブ化又は非アクティブ化することを決定した場合、通信部は制御メッセージを前記ユーザ装置に通知する。【選択図】図1
2014049932.tif 000002
【特許請求の範囲】
【請求項１】
ユーザ装置と通信を行う通信部と、
プライマリコンポーネントキャリア(PCC)及びセカンダリコンポーネントキャリア(SCC)をユーザ装置毎に管理する管理部と、
SCCをアクティブ化又は非アクティブ化することを示すSCCメッセージを少なくとも含む制御メッセージを生成する生成部と
を有し、所定の測定対象についての測定値と閾値との比較結果に従って前記管理部がSCCをアクティブ化又は非アクティブ化することを決定した場合、前記通信部は前記制御メッセージを前記ユーザ装置に通知する、基地局。
【請求項２】
前記所定の測定対象についての測定値が、
前記ユーザ装置との無線通信の品質、
当該基地局の処理負荷、又は
前記ユーザ装置が送信又は受信するデータの滞留量
を表す、請求項1記載の基地局。
【請求項３】
ユーザ装置と通信を行う通信部と、
プライマリコンポーネントキャリア(PCC)及びセカンダリコンポーネントキャリア(SCC)をユーザ装置毎に管理する管理部と、
SCCをアクティブ化又は非アクティブ化することを示すSCCメッセージを少なくとも含む制御メッセージを生成する生成部と
を有し、前記SCCメッセージとは異なる非SCCメッセージを前記ユーザ装置に通知する必要が生じた場合に、前記非SCCメッセージを前記ユーザ装置に通知した後に、前記生成部は前記SCCメッセージを含む制御メッセージを生成し、前記通信部は前記制御メッセージを前記ユーザ装置に通知する、基地局。
【請求項４】
前記非SCCメッセージは、
前記ユーザ装置の初期アクセスにおいてRRCコネクションの再設定を促すメッセージ、
前記ユーザ装置の再接続においてRRCコネクションの再設定を促すメッセージ、
前記ユーザ装置がハンドオーバを行う場合のハンドオーバコマンドのメッセージ、又は
前記ユーザ装置が間欠受信状態から間欠受信状態でない状態に遷移する際にRRCコネクションの再設定を促すメッセージ
である、請求項3記載の基地局。
【請求項５】
ユーザ装置と通信を行う通信部と、
プライマリコンポーネントキャリア(PCC)及びセカンダリコンポーネントキャリア(SCC)をユーザ装置毎に管理する管理部と、
SCCをアクティブ化又は非アクティブ化することを示すSCCメッセージを少なくとも含む制御メッセージを生成する生成部と
を有し、SCCをアクティブ化することを示すSCCメッセージを含む制御メッセージを第1の周期で前記生成部が生成し、前記制御メッセージを前記通信部が前記ユーザ装置に通知し、
SCCを非アクティブ化することを示すSCCメッセージを含む制御メッセージを第2の周期で前記生成部が生成し、前記制御メッセージを前記通信部が前記ユーザ装置に通知する、基地局。
【請求項６】
ユーザ装置と通信を行う通信部と、
プライマリコンポーネントキャリア(PCC)及びセカンダリコンポーネントキャリア(SCC)をユーザ装置毎に管理する管理部と、
SCCをアクティブ化又は非アクティブ化することを示すSCCメッセージを少なくとも含む制御メッセージを生成する生成部と
を有し、前記生成部は、前記ユーザ装置からの要求信号に応答して前記SCCメッセージを含む制御メッセージを生成し、前記通信部が前記制御メッセージを前記ユーザ装置に通知する、基地局。
【請求項７】
ユーザ装置と通信を行う通信部と、
プライマリコンポーネントキャリア(PCC)及びセカンダリコンポーネントキャリア(SCC)をユーザ装置毎に管理する管理部と、
SCCをアクティブ化又は非アクティブ化することを示すSCCメッセージを少なくとも含む制御メッセージを生成する生成部と
を有し、前記生成部は、所定のベアラの追加削除に伴って、前記制御メッセージを生成し前記通信部は前記制御メッセージを前記ユーザ装置に通知する、基地局。
【発明の詳細な説明】
【技術分野】
【０００１】
開示される発明は移動通信システムにおける基地局等に関連する。
【背景技術】
【０００２】
ロングタームエボリューション(Long  Term  Evolution：LTE)方式に続くLTEアドバンスト(LTE-Advanced)方式の通信システムでは、1つ又は複数のキャリアを用いて通信を行うことができる。複数のキャリアを用いて通信を行うことは、キャリアアグリゲーション(CA)と呼ばれる。CAを行う場合、相対的に信頼性の高いセルがプライマリセル(Pセル)に設定され、Pセルで使用されるキャリアはプライマリコンポーネントキャリア(PCC)と呼ばれる。CAを行う場合において、Pセルと共に通信に使用される他の1つ以上のセルはセカンダリセル(Sセル)に設定され、Sセルで使用されるキャリアはセカンダリコンポーネントキャリア(SCC)と呼ばれる。従来のCAについては非特許文献1に記載されている。
【先行技術文献】
【非特許文献】
【０００３】
【非特許文献１】3GPP  TS36.300  V10.7.0(2012-03)
【発明の概要】
【発明が解決しようとする課題】
【０００４】
しかしながら非特許文献1においては、どのような契機でSCCを追加又は削除するか、追加する場合はどのような契機でSCCをアクティブ化(activate)するか又は非アクティベート化(deactivate)するか等は規定されていない。従ってこのままではSCCを適切な契機でアクティブ化又は非アクティブ化することは容易でない。
【０００５】
開示される発明の課題は、キャリアアグリゲーション(CA)を行うことが可能な通信システムにおいてセカンダリコンポーネントキャリア(SCC)を適切な契機でアクティブ化又は非アクティブ化できるようにすることである。
【課題を解決するための手段】
【０００６】
開示される発明による基地局は、
ユーザ装置と通信を行う通信部と、
プライマリコンポーネントキャリア(PCC)及びセカンダリコンポーネントキャリア(SCC)をユーザ装置毎に管理する管理部と、
SCCをアクティブ化又は非アクティブ化することを示すSCCメッセージを少なくとも含む制御メッセージを生成する生成部と
を有し、所定の測定対象についての測定値と閾値との比較結果に従って前記管理部がSCCをアクティブ化又は非アクティブ化することを決定した場合、前記通信部は前記制御メッセージを前記ユーザ装置に通知する、基地局である。
【発明の効果】
【０００７】
開示される発明によれば、CAを行うことが可能な通信システムにおいてSCCを適切な契機でアクティブ化又は非アクティブ化することができる。
【図面の簡単な説明】
【０００８】
【図１】実施の形態で使用される通信システムを示す図。
【図２】CAが行われる例を示す図。
【図３】CAが行われる別の例を示す図。
【図４Ａ】基地局が実行する動作例のフローチャート。
【図４Ｂ】Sセルのアクティブ化及び非アクティブ化が行われる様子を示す図。
【図５】セルの品質の時間変化を示す図。
【図６】基地局の処理負荷の時間変化を示す図。
【図７】ユーザ装置のデータ滞留量の時間変化を示す図。
【図８】図5-7を参照しながら説明したSセルのアクティブ化/非アクティブ化方法を並列的に使用する動作例を示すフローチャート。
【図９】ユーザ装置が初期アクセスを行う際の手順を示す図。
【図１０】ユーザ装置が再接続を行う際の手順を示す図。
【図１１Ａ】ユーザ装置がハンドオーバを行う際の手順を示す図。
【図１１Ｂ】ユーザ装置がハンドオーバを行う際の手順を示す図。
【図１１Ｃ】ユーザ装置がハンドオーバを行う際の手順を示す図。
【図１２】ユーザ装置がDRX状態から非DRX状態に移る際の手順を示す図。
【図１３】周期的なタイミングに基づいてSセルのアクティブ化/非アクティブ化を行う様子を示す図。
【図１４】ユーザ装置からの要求に応じてSセルをアクティブ化又は非アクティブ化する際の動作例を示す図。
【図１５】ベアラ種別に基づいてSセルをアクティブ化する例を示す図。
【図１６】基地局の機能ブロック図。
【発明を実施するための形態】
【０００９】
添付図面を参照しながら以下の観点から実施形態を説明する。図中、同様な要素には同じ参照番号又は参照符号が付されている。
【００１０】
これらの項目の区分けは本発明に本質的ではなく、2以上の項目に記載された事項が必要に応じて組み合わせて使用されてよいし、ある項目に記載された事項が、別の項目に記載された事項に(矛盾しない限り)適用されてよい。
【００１１】
1．通信システム
2．動作例
2.1  Sセル品質に基づくSセルのアクティブ化/非アクティブ化
2.2  eNB処理負荷に基づくSセルのアクティブ化/非アクティブ化
2.3  データ滞留量に基づくSセルのアクティブ化/非アクティブ化
2.4  他のメッセージと共に行うSセルのアクティブ化/非アクティブ化
2.5  DRX状態遷移と共に行うSセルのアクティブ化/非アクティブ化
2.6  周期的なSセルのアクティブ化/非アクティブ化
2.7  UEからの要求に基づくSセルのアクティブ化/非アクティブ化
2.8  ベアラ種別に基づくSセルのアクティブ化/非アクティブ化
3．基地局
これらの項目の区分けは本発明に本質的ではなく、2以上の項目に記載された事項が必要に応じて組み合わせて使用されてよいし、ある項目に記載された事項が、別の項目に記載された事項に(矛盾しない限り)適用されてよい。
【００１２】
＜1．通信システム＞
図1は実施の形態で使用されるLTEアドバンスト方式の通信システムを示す。図1にはマクロ基地局(eNB)11と、マクロ基地局(eNB)11により制御されるマクロセル12と、マクロセル12内に位置するピコ基地局13と、ピコ基地局13により制御されるピコセル14と、マクロセル12内に位置する別のピコ基地局15と、ピコ基地局15により制御されるピコセル16及び17とが示されている。マクロ基地局(eNB)、ピコ基地局、マクロセル及びピコセルの数や大小関係は単なる一例に過ぎず、適切な任意の数及び大小関係とすることができる。マクロ基地局(eNB)11及びピコ基地局13、15は通信リンク(例えば、x2インターフェース)を通じて互いに信号を送受信することができる。
【００１３】
図示の通信システムにおいて、ユーザ装置(UE)(不図示)は、1つ又は複数のキャリアを用いて通信を行うことができる。個々のキャリアはコンポーネントキャリア(CC)と呼ばれる。図示の例において、マクロセル12のCCの周波数はf1であり、ピコセル14のCCの周波数はf3であり、ピコセル16のCCの周波数はf2であり、ピコセル17のCCの周波数はf3である。複数のキャリアを用いて通信を行うことは、キャリアアグリゲーション(CA)と呼ばれる。CAを行う場合、相対的に信頼性が高いコンポーネントキャリア(CC)のセルがプライマリセル(Pセル)に設定され、Pセルで使用されるCCはプライマリコンポーネントキャリア(PCC)と呼ばれる。CAを行う際にPセルと共に使用される他の1つ以上のセルはセカンダリセル(Sセル)に設定され、Sセルで使用されるCCはセカンダリコンポーネントキャリア(SCC)と呼ばれる。CAを行うためには、複数のCCのセルが地域的に重複していることに加えて、個々のセルがCAの通信処理を実行できるようになっている必要がある。言い換えれば、CAを実行できるCC又はセルの組み合わせが予め規定されている。図示の例の場合、マクロセル12とピコセル14とでCAを行うことができる。また、ピコセル16とピコセル17とでCAを行うことができる。図示の例の場合、他のセルの組み合わせでCAを行うことはできない。
【００１４】
図2は、20MHzのシステム帯域幅を有する第1のシステムのコンポーネントキャリアCC1と、CC1に隣接する20MHzのシステム帯域幅を有する第2のシステムのコンポーネントキャリアCC2とを用いてキャリアアグリゲーション(CA)を行う様子を示す。この場合、CC1及びCC2により全体で40MHzの連続的な帯域幅を用いて通信を行うことができる。
【００１５】
図3は、10MHzのシステム帯域幅を有する第1のシステムのコンポーネントキャリアCC1と、CC1から隔たった10MHzのシステム帯域幅を有する第2のシステムのコンポーネントキャリアCC2とを用いてキャリアアグリゲーション(CA)を行う様子を示す。この場合、連続してはいないCC1及びCC2により全体で20MHzの帯域幅を用いて通信を行うことができる。
【００１６】
＜2．動作例＞
図4Aは、図1の通信システムの基地局11、13、15(典型的には、マクロ基地局(eNB)11)が実行する動作例のフローチャートを示す。フローはステップ41から始まり、ステップ42に進む。
【００１７】
ステップ41において、基地局(eNB)は、CAを実行できるように1つ以上のSセルが追加されているユーザ装置(UE)について、1つ以上のSセルをアクティブ化(activate)又は非アクティブ化(deactivate)を通知する必要の有無を判定する。
【００１８】
一般に、CAを行う場合、ユーザ装置(UE)について1つ以上のSセル(SCC)が追加された後、当該Sセルを用いて通信を行うにはSCCがアクティブ化される必要がある。図4Bに示すように、アクティブ化の通知は例えば媒体アクセス制御コントロールエレメント(MAC  CE)により行われる(t1、t3)。SCCがアクティブ化されると、非アクティブ化タイマが起動され、非アクティブ化タイマが満了すると、そのSCCは非アクティブ化される(t2)。或いは、非アクティブ化タイマが満了する前であったとしても、基地局(eNB)がSセルの非アクティブ化をユーザ装置(UE)に通知すれば、その時点でSセルは非アクティブ化される(t4)。この通知もMAC  CEにより行われる。非アクティブ化されたSCCが更に使用されなかった場合、そのユーザ装置(UE)についてそのSCCは削除される。
【００１９】
図4Aのフローのステップ42において、どのような場合にSセルのアクティブ化又は非アクティブ化を通知するかについては、後述する(2.1-2.8)。Sセルのアクティブ化又は非アクティブ化の通知が不要であった場合、フローはステップ45に進み、終了する。Sセルのアクティブ化又は非アクティブ化の通知が必要であった場合、フローはステップ43進む。
【００２０】
ステップ43において、基地局(eNB)は、Sセルのアクティブ化又は非アクティブ化を示すSCCメッセージを少なくとも含む制御メッセージを生成する。制御メッセージは例えばRRCメッセージである。
【００２１】
ステップ44において、基地局(eNB)は、SCCメッセージを少なくとも含む制御メッセージをユーザ装置(UE)に通知する。これによりユーザ装置(UE)はSセルをアクティブ化又は非アクティブ化する旨の指示に応じて例えばパラメータを設定し、CAを行いながら又は行わなずに通信を行う。
【００２２】
以下、2.1-2.8において、ユーザ装置(UE)にSCCメッセージを通知する契機を説明する。2.1-2.8で説明される8つの契機は限定的ではなく例示的に列挙されているにすぎず、他の契機が使用されてもよい。また、2.1-2.8の8つの契機は単独で使用されてもよいし、8つの契機のうちの2つ以上の契機の組み合わせが使用されてもよい。
【００２３】
＜＜2.1  Sセル品質に基づくSセルのアクティブ化/非アクティブ化＞＞
Sセルのアクティブ化又は非アクティブ化を行うための第1の契機は、Sセルの品質に基づく。ユーザ装置(UE)は、Pセルの品質を基地局(eNB)に報告することに加えて、1つ以上のSセルが設定されている場合には1つ以上のSセルの品質も基地局(eNB)に報告する。報告は定期的に及び/又は非定期的に行われてもよい。品質の報告は、Pセルで行われてもよいし、Sセルで行われてもよい。下りリンクの品質は、例えば、無線リソース管理のメジャーメントレポート(Radio  Resource  Measurement  Measurement  Report)による品質(例えば、希望信号電力対干渉信号電力(SIR)等)や、チャネル品質インジケータ(CQI)等により表現されてもよい。上りリンクの品質は、ユーザ装置(UE)が送信したリファレンス信号の受信品質により表現されてもよい。品質は、受信レベルと呼ばれてもよい。品質は、当該技術分野で既知の適切な如何なる量で測定されてもよい。例えば、品質又は受信レベルは、受信強度(RSSI)、希望信号電力対干渉電力比(SIR)、希望信号電力対干渉プラス雑音電力比(SINR)、Eb/No、CQI、CNR、CIR等により表現されてもよいが、これらに限定されない。
【００２４】
図5はSセルの品質に応じてSセルのアクティブ化又は非アクティブ化を行う動作を説明するためのSセルの品質の時間変化を示す。Sセルの品質は、時刻0からt1に至るまで増加し、時刻t1においてアクティブ化閾値を超える。これに応じて、基地局(eNB)はこのSセルをアクティブ化することをユーザ装置(UE)に通知する。この期間では、Sセルについての品質が高いので、Pセル及びSセルで(CAにより)高速通信を行うことができるからである。
【００２５】
図示の例の場合、時刻t1以降t2までの間、Sセルの品質はアクティブ化閾値以上である。時刻t2以降、Sセルの品質は低下し、時刻t3においてアクティブ化閾値未満にまで低下する。時刻t3において、基地局(eNB)はこのユーザ装置(UE)についてSセルを非アクティブ化することをユーザ装置(UE)に通知する。この期間では、Sセルについての品質が低いので、Pセル及びSセルで高速通信を実行できる見込みが少ないからである。
【００２６】
Sセルの品質は、時刻t3以降再び上昇し、時刻t4でアクティブ化閾値を超える。これに応じて、基地局(eNB)はこのSセルをこのユーザ装置(UE)についてアクティブ化することをユーザ装置(UE)に通知する。この期間では、Sセルについての品質が高いので、Pセル及びSセルで(CAにより)高速通信を行うことができるからである。以後図示されてはいないが同様に、Sセルの品質が、アクティブ化閾値を超えればそのSセルがアクティブ化され、非アクティブ化閾値を下回ればそのSセルが非アクティブ化される。
【００２７】
これにより、Sセルで高速通信を行うことが可能な状態に限ってPセルだけでなくSセルも使用するキャリアアグリゲーション(CA)が行われる。Sセルで高速通信が期待できない場合、そのSセルは使用されないようにすることができる。
【００２８】
図示の例の場合、Sセルをアクティブ化するか否かを判定するためのアクティブ化閾値と、Sセルを非アクティブ化するか否かを判定するための非アクティブ化閾値とが別々の値に設定されている。アクティブ化閾値は非アクティブ化閾値よりも高く設定される。仮にアクティブ化閾値及び非アクティブ化閾値が同じ値であった場合、Sセルのアクティブ化及び非アクティブ化が頻繁に生じ(ばたつきが生じ)、Sセルをアクティブ化及び非アクティブ化するための制御信号が過剰に多くなってしまうことが懸念される。アクティブ化閾値及び非アクティブ化閾値を異なる値に設定することで、Sセルをアクティブ化した直後にSセルを非アクティブ化しなければならなくなってしまうこと(或いは逆にSセルを非アクティブ化した直後にSセルをアクティブ化しなければならなくなってしまうこと)を防止できる。
【００２９】
Sセルのアクティブ化及び非アクティブ化のばたつきを防止する観点からは、Sセルの品質を平均化することが望ましい。例えば、Sセルの品質の瞬時値ではなく、Sセルの品質を一定の期間にわたって平均化した品質とアクティブ化閾値(又は非アクティブ化閾値)との大小関係が判定されてもよい。平均化の際に、一定の期間にわたってではなく、離散的な時点における複数の品質の値が平均化されてもよい。
【００３０】
また、Sセルのアクティブ化及び非アクティブ化のばたつきを防止する観点からは、Sセルがアクティブ化された後一定期間の間、Sセルの非アクティブ化が禁止されるように、Sセルの非アクティブ化を禁止する期間を計測するSセル非アクティブ化禁止タイマが、Sセルのアクティブ化と共に起動されてもよい。Sセル非アクティブ化禁止タイマが起動している間は、Sセルの品質によらず、Sセルの非アクティブ化は禁止され、Sセル非アクティブ化禁止タイマの満了後でなければ、Sセルの非アクティブ化は許可されない。図中、「T.O.」とあるのはタイマの満了を示す。逆に、Sセルが非アクティブ化された後一定期間の間、Sセルのアクティブ化が禁止されるように、Sセルのアクティブ化を禁止する期間を計測するSセルアクティブ化禁止タイマが、Sセルの非アクティブ化と共に起動されてもよい。Sセルアクティブ化禁止タイマが起動している間は、Sセルの品質によらず、Sセルのアクティブ化は禁止され、Sセルアクティブ化禁止タイマの満了後でなければ、Sセルのアクティブ化は許可されない。Sセル非アクティブ化禁止タイマ及びSセルアクティブ化禁止タイマが計時する期間は、適切な如何なる値に設定されてもよいが、不要なSセルを速やかに非アクティブ化する観点からは、Sセル非アクティブ化禁止タイマがSセルアクティブ化禁止タイマより短いことが望ましい。
【００３１】
＜＜2.2  eNB処理負荷に基づくSセルのアクティブ化/非アクティブ化＞＞
Sセルのアクティブ化又は非アクティブ化を行うための第2の契機は、基地局(eNB)の処理負荷に基づく。基地局(eNB)の処理負荷は、適切な如何なる観点から表現されてもよい。
【００３２】
基地局(eNB)の処理負荷は、例えば、Pセル及び/又はSセルに在圏しているユーザ装置(UE)の数により表現されてもよい。そのユーザ装置(UE)の数が多いほど基地局(eNB)の処理負荷は重い。
【００３３】
基地局(eNB)の処理負荷は、例えば、Pセル及び/又はSセルに在圏しているユーザ装置(UE)のうちコネクションが設定されているユーザ装置(UE)の数により表現されてもよい。そのユーザ装置(UE)の数が多いほど基地局(eNB)の処理負荷は重い。
【００３４】
基地局(eNB)の処理負荷は、例えば、Pセル及び/又はSセルにおけるアクティブ状態のユーザ装置(UE)の数、インアクティブ状態のユーザ装置(UE)の数又は間欠受信状態(DRX)のユーザ装置(UE)の比率(コネクション状態の全UEに対する比率)により表現されてもよい。なお、接続ユーザ装置(UE)の数が多いほど基地局(eNB)の処理負荷は重いが、DRXのユーザ装置(UE)の比率については、その値が大きいほど基地局(eNB)の処理負荷は軽い。
【００３５】
基地局(eNB)の処理負荷は、例えば、Pセル及び/又はSセルで設定されているベアラ数(論理チャネル数)により表現されてもよい。基地局(eNB)の処理負荷は、Pセル及び/又はSセルで設定されているベアラ数(論理チャネル数)により表現されてもよい。ベアラ数が多いほど基地局(eNB)の処理負荷は重い。
【００３６】
基地局(eNB)の処理負荷は、例えば、基地局(eNB)におけるハードウェア資源の使用率(例えば、CPU使用率やバッファ使用料)により表現されてもよい。使用率が大きいほど基地局(eNB)の処理負荷は重い。
【００３７】
基地局(eNB)の処理負荷は、例えば、セルの中で個別リソースが設定されているユーザ装置(UE)の数により表現されてもよい。そのユーザ装置の数が多いほど基地局(eNB)の処理負荷は重い。
【００３８】
基地局(eNB)の処理負荷は、例えば、キャリアアグリゲーション(CA)を行っているユーザ装置(UE)の数により表現されてもよい。CAを行っているユーザ装置(UE)は、Sセルが追加されているユーザ装置(UE)の数でもよいし、或いは追加されたSセルがアクティブになっているユーザ装置(UE)の数でもよい。いずれにせよ、そのユーザ装置の数が多いほど基地局(eNB)の処理負荷は重い。
【００３９】
基地局(eNB)の処理負荷は、例えば、セルにおける平均送受信レート(平均スループット)により表現されてもよい。平均送受信レートが大きいほど基地局(eNB)の処理負担は重い。
【００４０】
基地局(eNB)の処理負荷は、例えば、セル毎に決定されてもよいし、或いはベースバンド(BB)リソースのような処理機能部毎に測定されてもよい。
【００４１】
これらの処理負担は一例にすぎず、他の観点から基地局(eNB)の処理負荷が表現されてもよい。
【００４２】
図6は基地局(eNB)の処理負荷に応じてSセルのアクティブ化又は非アクティブ化を行う動作を説明するための処理負荷の時間変化を示す。概して図5と同様であるが、アクティブ化閾値及び非アクティブ化閾値の大小関係が逆である点に留意を要する。Sセルの品質は、時刻0以降減少し、時刻t1においてアクティブ化閾値を下回る。これに応じて、基地局(eNB)はこのSセルをこのユーザ装置(UE)についてアクティブ化することをユーザ装置(UE)に通知する。この期間では、基地局(eNB)の処理負荷が軽いので、ユーザ装置(UE)がPセル及びSセルを用いて高速通信を行うべきだからである。
【００４３】
図示の例の場合、時刻t1以降t3までの間、Sセルの品質は非アクティブ化閾値未満である。時刻t1以降、基地局(eNB)の処理負荷は軽く、時刻t3において非アクティブ化閾値に達する。時刻t4において、基地局(eNB)はこのSセルをこのユーザ装置(UE)について非アクティブ化することをユーザ装置(UE)に通知する。この期間では、基地局(eNB)の処理負荷が高いので、Sセルを用いた高速通信を控えるようにすべきだからである。
【００４４】
基地局(eNB)の処理負荷は、時刻t3以降再び減少し、時刻t4でアクティブ化閾値を下回る。これに応じて、基地局(eNB)はこのSセルをこのユーザ装置(UE)についてアクティブ化することをユーザ装置(UE)に通知する。この期間では、基地局(eNB)の処理負荷が軽いので、ユーザ装置(UE)がPセル及びSセルを用いて高速通信を行うことを促すべきだからである。以後図示されてはいないが同様に、基地局(eNB)の処理負荷が、非アクティブ化閾値を超えればそのSセルは非アクティブ化され、アクティブ化閾値を下回ればそのSセルがアクティブ化される。
【００４５】
これにより、基地局(eNB)の処理負荷が軽い状態に限ってキャリアアグリゲーション(CA)が促進され、基地局(eNB)の処理負荷が重い場合、CAは抑制されるようにし、例えば基地局(eNB)の輻輳を回避できる。
【００４６】
図5に示す例と同様に、図6に示す例においても、Sセルをアクティブ化するか否かを判定するためのアクティブ化閾値と、Sセルを非アクティブ化するか否かを判定するための非アクティブ化閾値とが別々の値に設定され、ばたつきを防止できる。ただし、アクティブ化閾値は非アクティブ化閾値よりも低く設定されている点が図5に示す例と異なる。
【００４７】
図5に示す例と同様に、図6に示す例においても、Sセルのアクティブ化及び非アクティブ化のばたつきを防止する観点からは、基地局(eNB)の処理負荷を平均化することが望ましい。例えば、基地局(eNB)の処理負荷の瞬時値ではなく、基地局(eNB)の処理負荷を一定の期間にわたって平均化した処理負荷とアクティブ化閾値(又は非アクティブ化閾値)との大小関係が判定されてもよい。平均化の際に、一定の期間にわたってではなく、離散的な時点における複数の処理負荷の値が平均化されてもよい。
【００４８】
また、Sセルのアクティブ化及び非アクティブ化のばたつきを防止する観点からは、Sセルがアクティブ化された後一定期間の間、Sセルの非アクティブ化が禁止されるように、Sセルの非アクティブ化を禁止する期間を計測するSセル非アクティブ化禁止タイマが、Sセルのアクティブ化と共に起動されてもよい。Sセル非アクティブ化禁止タイマが起動している間は、基地局(eNB)の処理負荷によらず、Sセルの非アクティブ化は禁止され、Sセル非アクティブ化禁止タイマの満了後でなければ、Sセルの非アクティブ化は許可されない。図中、「T.O.」はタイマの満了を示す。逆に、Sセルが非アクティブ化された後一定期間の間、Sセルのアクティブ化が禁止されるように、Sセルのアクティブ化を禁止する期間を計測するSセルアクティブ化禁止タイマが、Sセルの非アクティブ化と共に起動されてもよい。Sセルアクティブ化禁止タイマが起動している間は、基地局(eNB)の処理負荷によらず、Sセルのアクティブ化は禁止され、Sセルアクティブ化禁止タイマの満了後でなければ、Sセルのアクティブ化は許可されない。Sセル非アクティブ化禁止タイマ及びSセルアクティブ化禁止タイマが計時する期間は、適切な如何なる値に設定されてもよいが、不要なSセルを速やかに非アクティブ化する観点からは、Sセル非アクティブ化禁止タイマがSセルアクティブ化禁止タイマより短いことが望ましい。
【００４９】
＜＜2.3  データ滞留量に基づくSセルのアクティブ化/非アクティブ化＞＞
Sセルのアクティブ化又は非アクティブ化を行うための第3の契機は、ユーザ装置(UE)のデータ滞留量に基づく。ユーザ装置(UE)のデータ滞留量は、ユーザ装置(UE)との間で送受信を待機しているデータ量により表現されてよい。
【００５０】
ユーザ装置(UE)のデータ滞留量は、上下リンクでデータを処理するレイヤ毎に測定されてもよい。ユーザ装置(UE)のデータ滞留量は、例えば、下りリンクのPDCPレイヤにおけるサービスデータユニット(SDU)の滞留量、下りリンクのRLCレイヤにおけるSDUの滞留量、下りリンクのRLCレイヤにおけるプロトコルデータユニット(PDU) 、MACレイヤにおけるHARQ送信データの滞留量により表現されてもよい。また、本データ滞留量はユーザ毎、ベアラ毎の平均スループット等で正規化されてもよい。
【００５１】
ユーザ装置(UE)のデータ滞留量は、例えば、上りリンクのPDCPレイヤにおけるSDUの滞留量、上りリンクのRLCレイヤにおけるSDUの滞留量、上りリンクのRLCレイヤにおけるプロトコルデータユニット(PDU)の滞留量により表現されてもよい。
【００５２】
ところで、ベアラには、制御信号用のベアラ(SRB)とユーザデータ用のベアラ(DRB)とが存在し、これらのベアラの送受信レート(スループット)が大きい場合、データ滞留量も多いことが推定される。従って、ユーザ装置(UE)のデータ滞留量は、例えば、ベアラ毎の送受信レート(スループット)により表現されてもよい。或いは、ユーザ装置(UE)のデータ滞留量は、例えば、DRBのベアラの送受信レート(スループット)により表現されてもよい。或いは、ユーザ装置(UE)のデータ滞留量は、所定の送受信レートを上回る（或いは下回る）ベアラの数(論理チャネル数)により表現されてもよい。
【００５３】
これらのデータ滞留量の測定法処理負担は一例にすぎず、他の観点から基地局(eNB)の処理負荷が表現されてもよい。
【００５４】
図7はユーザ装置(UE)のデータ滞留量に応じてSセルのアクティブ化又は非アクティブ化を行う動作を説明するためのユーザ装置(UE)のデータ滞留量の時間変化を示す。データ滞留量は、時刻0からt1に至るまで増加し、時刻t1においてアクティブ化閾値を超える。これに応じて、基地局(eNB)はこのSセルをこのユーザ装置(UE)についてアクティブ化することをユーザ装置(UE)に通知する。この期間では、ユーザ装置のデータ滞留量が多いので、Pセル及びSセルを用いて高速通信を行い、データ滞留量を減らすべきだからである。
【００５５】
図示の例の場合、時刻t1以降t2までの間、データ滞留量はアクティブ化閾値以上である。時刻t2以降、データ滞留量は減少し、時刻t3において非アクティブ化閾値未満にまで低下する。時刻t3において、基地局(eNB)はこのSセルをこのユーザ装置(UE)について非アクティブ化することをユーザ装置(UE)に通知する。この期間では、ユーザ装置のデータ滞留量は少ないので、Pセル及びSセルによる高速通信は不要だからである。
【００５６】
ユーザ装置のデータ滞留量は、時刻t3以降再び上昇し、時刻t4でアクティブ化閾値を超える。これに応じて、基地局(eNB)はこのSセルをこのユーザ装置(UE)についてアクティブ化することをユーザ装置(UE)に通知する。この場合、ユーザ装置のデータ滞留量が多いので、Pセル及びSセルを用いて高速通信を行い、データ滞留量を減らすべきだからである。以後図示されてはいないが同様に、データ滞留量が、アクティブ化閾値を超えればSセルがアクティブ化され、非アクティブ化閾値を下回ればSセルが非アクティブ化される。
【００５７】
これにより、ユーザ装置のデータ滞留量が多い場合に限ってPセルだけでなくSセルも使用される。ユーザ装置のデータ滞留量が少ない場合、CAを行っても有意義ではないのでSセルがアクティブ化されていればそれが非アクティブ化される。
【００５８】
図示の例の場合、Sセルをアクティブ化するか否かを判定するためのアクティブ化閾値と、Sセルを非アクティブ化するか否かを判定するための非アクティブ化閾値とが別々の値に設定されている。アクティブ化閾値は非アクティブ化閾値よりも高く設定され、ばたつきを防止する。
【００５９】
Sセルのアクティブ化及び非アクティブ化のばたつきを防止する観点からは、ユーザ装置のデータ滞留量を平均化することが望ましい。例えば、ユーザ装置のデータ滞留量の瞬時値ではなく、ユーザ装置のデータ滞留量を一定の期間にわたって平均化したデータ滞留量とアクティブ化閾値(又は非アクティブ化閾値)との大小関係が判定されてもよい。平均化の際に、一定の期間にわたってではなく、離散的な時点における複数の品質の値が平均化されてもよい。
【００６０】
更に、Sセルのアクティブ化及び非アクティブ化のばたつきを防止する観点からは、Sセルがアクティブ化された後一定期間の間、Sセルの非アクティブ化が禁止されるように、Sセルの非アクティブ化を禁止する期間を計測するSセル非アクティブ化禁止タイマが、Sセルのアクティブ化と共に起動されてもよい。Sセル非アクティブ化禁止タイマが起動している間は、ユーザ装置のデータ滞留量によらず、Sセルの非アクティブ化は禁止され、Sセル非アクティブ化禁止タイマの満了後でなければ、Sセルの非アクティブ化は許可されない。図中、「T.O.」とあるのはタイマの満了を示す。逆に、Sセルが非アクティブ化された後一定期間の間、Sセルのアクティブ化が禁止されるように、Sセルのアクティブ化を禁止する期間を計測するSセルアクティブ化禁止タイマが、Sセルの非アクティブ化と共に起動されてもよい。Sセルアクティブ化禁止タイマが起動している間は、ユーザ装置のデータ滞留量によらず、Sセルのアクティブ化は禁止され、Sセルアクティブ化禁止タイマの満了後でなければ、Sセルのアクティブ化は許可されない。Sセル非アクティブ化禁止タイマ及びSセルアクティブ化禁止タイマが計時する期間は、適切な如何なる値に設定されてもよいが、不要なSセルを速やかに非アクティブ化する観点からは、Sセル非アクティブ化禁止タイマがSセルアクティブ化禁止タイマより短いことが望ましい。
【００６１】
図5、図6及び図7を参照しながら説明した測定値と閾値とを比較する判定方法(2.1-2.3)は単独で使用されてもよいし、組み合わせて使用されてもよい。図8は図5、図6及び図7を参照しながら説明した判定方法(2.1-2.3)の全てを並列的に使用する動作例を示す。図示の動作例は、図4Aに示すフローチャートにおいて、ステップ42においてYであった場合(すなわち、ユーザ装置(UE)にSセルのアクティブ化又は非アクティブ化を通知する必要があった場合)、ステップ43-45として使用される。
【００６２】
フローはステップ801(ステップ42においてYであった場合)からステップ802、809、811に進む。
【００６３】
ステップ802において、Sセルの品質がアクティブ化閾値以上であるか否かが判定される。Sセルの品質がSセルアクティブ化閾値以上であった場合、フローはステップ803に進む。ステップ803において、基地局(eNB)は、Sセルをアクティブ化することを示すSCCメッセージを含む制御メッセージを生成する。ステップ804において、基地局(eNB)は、制御メッセージをユーザ装置に通知する。これに応じてユーザ装置(UE)はSセルをアクティブ化する。その後、フローはステップ805に進み、終了する。
【００６４】
一方、ステップ802において、Sセルの品質がアクティブ化閾値以上でなかった場合、フローはステップ806に進む。ステップ806において、Sセルの品質が非アクティブ化閾値未満であるか否かが判定される。Sセルの品質が非アクティブ化閾値未満であった場合、フローはステップ807に進む。ステップ807において、基地局(eNB)は、Sセルを非アクティブ化することを示すSCCメッセージを含む制御メッセージを生成する。ステップ808において、基地局(eNB)は、制御メッセージをユーザ装置に通知する。これに応じてユーザ装置(UE)はSセルを非アクティブ化する。その後、フローはステップ805に進み、終了する。ステップ806において、Sセルの品質が非アクティブ化閾値未満でなかった場合も、フローはステップ805に進み、終了する。
【００６５】
また、ステップ801に続くステップ809において、基地局の処理負荷がアクティブ化閾値未満であるか否かが判定される。基地局の処理負荷がアクティブ化閾値未満であった場合、Sセルをアクティブ化するためにステップ803、804、805における説明済みの処理が行われる。一方、ステップ809において、基地局の処理負荷がアクティブ化閾値未満でなかった場合、フローはステップ810に進む。ステップ810において、基地局の処理負荷が非アクティブ化閾値以上であるか否かが判定される。基地局の処理負荷が非アクティブ化閾値以上であった場合、Sセルを非アクティブ化するためにステップ807、808、805における説明済みの処理が行われる。ステップ810において、基地局の処理負荷が非アクティブ化閾値以上でなかった場合も、フローはステップ805に進み、終了する。
【００６６】
また、ステップ801に続いて、ステップ811において、ユーザ装置のデータ滞留量がアクティブ化閾値以上であるか否かが判定される。ユーザ装置のデータ滞留量がアクティブ化閾値以上であった場合、Sセルをアクティブ化するためにステップ803、804、805における説明済みの処理が行われる。一方、ステップ811において、ユーザ装置のデータ滞留量がアクティブ化閾値以上でなかった場合、フローはステップ812に進む。ステップ812において、ユーザ装置のデータ滞留量が非アクティブ化閾値未満であるか否かが判定される。ユーザ装置のデータ滞留量が非アクティブ化閾値未満であった場合、Sセルを非アクティブ化するためにステップ807、808、805における説明済みの処理が行われる。ステップ812において、ユーザ装置のデータ滞留量がSセル非アクティブ化閾値未満でなかった場合も、フローはステップ805に進み、終了する。
【００６７】
図8は図5、図6及び図7を参照しながら説明した判定方法(2.1-2.3)の全てを並列的に使用する例を示すが、3つの判定方法(2.1-2.3)のうちの任意の2つが組み合わせて使用されてもよい。
【００６８】
＜＜2.4  他のメッセージと共に行うSセルのアクティブ化/非アクティブ化＞＞
図5、図6、図7及び図8を参照しながら説明した例では、所定の測定対象と閾値との大小関係により、Sセルをアクティブ化するか否か又はSセルを非アクティブ化するか否かが判断されていた。開示される発明はそのように閾値と比較する例に限定されず、他の観点からSセルのアクティブ化又は非アクティブ化を制御してもよい。Sセルのアクティブ化又は非アクティブ化を行うための第4の契機は、基地局(eNB)が、Sセルのアクティブ化又は非アクティブ化を示すSCCメッセージ以外の非SCCメッセージをユーザ装置(UE)に通知する手順に基づく。
【００６９】
後述するように、非SCCメッセージは、例えば、(1)ユーザ装置(UE)の初期アクセスにおいてRRCコネクションの再設定を促すメッセージ、(2)ユーザ装置(UE)の再接続においてRRCコネクションの再設定を促すメッセージ、(3)ユーザ装置(UE)がハンドオーバを行う場合のハンドオーバコマンドのメッセージ等である。
【００７０】
(2.4.1)
図9はユーザ装置(UE)による初期アクセスの際の手順を示す。
【００７１】
ステップ91において、ユーザ装置(UE)はコネクションを確立することを要求するRRCコネクションリクエスト(RRC  connection  request)のメッセージを基地局(eNB)に通知する。
【００７２】
ステップ92において、基地局(eNB)は、RRCコネクションリクエストのメッセージに応答して、コネクションを確立するために必要なパラメータ値等を通知するためにRRCコネクションセットアップ(RRC  connection  setup)のメッセージをユーザ装置(UE)に通知する。
【００７３】
ステップ93において、ユーザ装置(UE)はコネクションの確立が完了したことを示すRRCコネクションセットアップコンプリート(RRC  connection  setup  complete)のメッセージを基地局(eNB)に通知する。
【００７４】
ステップ94において、ユーザ装置(UE)及び基地局(eNB)の間で認証手順、NAS(Non  Access  Stratum)の処理手順及びセキュリティ手順が実行される。この段階において、ユーザ装置(UE)は何らかの特定の1つのコンポーネントキャリア(CC)を用いて通信できるように設定されている。この段階では未だキャリアアグリゲーション(CA)を行うことはできない。
【００７５】
ステップ95において、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを追加すべき旨の通知(Sセルの追加を指示するメッセージ)が含まれている。
【００７６】
ステップ96において、ユーザ装置(UE)は、コネクションの再設定が完了したことを示すRRCコネクションリコンフィギュレーションコンプリート(RRC  connection  re-configuration  complete)のメッセージを基地局(eNB)に通知する。ただし、この段階では未だSセルが非アクティブ化の状態なので、キャリアアグリゲーション(CA)を行うことはできない。
【００７７】
ステップ97において、基地局(eNB)は追加したSセルのアクティブ化を指示するSCCメッセージを含む制御メッセージをユーザ装置(UE)に通知する。これにより、SCCはアクティブ化され、ユーザ装置(UE)はCAによる通信を行うことができるようになる。
【００７８】
(2.4.2)
図10はユーザ装置(UE)が再接続を行う際の手順を示す。
【００７９】
ステップ101において、ユーザ装置(UE)は再接続を要求するRRCコネクション再接続リクエスト(RRC  connection  re-establishment  request)のメッセージを基地局(eNB)に通知する。
【００８０】
ステップ102において、基地局(eNB)は、RRCコネクション再接続リクエストのメッセージに応答して、再接続に必要なパラメータ値等を通知するためにRRCコネクション再接続  (RRC  connection  re-establishment)のメッセージをユーザ装置(UE)に通知する。
【００８１】
ステップ103において、ユーザ装置(UE)は再接続が完了したことを示すRRCコネクション再接続コンプリート(RRC  connection  re-establishment  complete)のメッセージを基地局(eNB)に通知する。この段階において、ユーザ装置(UE)は何らかの特定の1つのコンポーネントキャリア(CC)を用いて通信できるように設定されている。この段階では未だSセルが追加されていない。
【００８２】
ステップ104において、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを追加する旨の通知(Sセルの追加を示すメッセージ)が含まれている。
【００８３】
ステップ105において、ユーザ装置(UE)は、コネクションの再設定が完了したことを示すRRCコネクションリコンフィギュレーションコンプリート(RRC  connection  re-configuration  complete)のメッセージを基地局(eNB)に通知する。これにより、ユーザ装置(UE)は、Sセルを追加する。ただし、この段階では未だSセルが非アクティブ化の状態なので、キャリアアグリゲーション(CA)を行うことはできない。
【００８４】
ステップ106において、基地局(eNB)は追加したSセルのアクティブ化を指示するSCCメッセージを含む制御メッセージをユーザ装置(UE)に通知する。これにより、SCCはアクティブ化され、ユーザ装置(UE)はCAによる通信を行うことができるようになる。
【００８５】
(2.4.3)
図11Aはユーザ装置(UE)がハンドオーバを行う際の手順を示す。
【００８６】
ステップ111において、ユーザ装置(UE)はメジャーメントレポート(measurement  report)を基地局(eNB)に送信し、ハンドオーバが必要であることを通知する。
【００８７】
ステップ112において、基地局(eNB)はハンドオーバを行うべきことを指示するためにハンドオーバコマンド(HO  command)をユーザ装置(UE)に通知する。実施の形態の場合、このメッセージに、Sセルを追加又は削除すべき旨の通知(Sセルの追加又は削除を示すメッセージ)が含まれている。
【００８８】
ステップ113において、ユーザ装置(UE)は、コネクションの再設定が完了したことを示すRRCコネクションリコンフィギュレーションコンプリート(RRC  connection  re-configuration  complete)のメッセージを基地局(eNB)に通知する。
【００８９】
Sセルが追加された場合、ステップ114において、基地局(eNB)はSセルのアクティブ化を指示するSCCメッセージを含む制御メッセージをユーザ装置(UE)に通知する。これにより、SCCはアクティブ化され、ユーザ装置(UE)はCAによる通信を行うことができるようになる。
【００９０】
ところで、3GPP標準仕様(例えば、TS36.300  V10.7.0(2012-03)(11．2章))では、ハンドオーバの際に全てのSセルは非アクティブ化の状態にすることが規定されている。この場合、図11Aに示す手順が若干異なる。
【００９１】
図11B及び図11Cは何れも図11Aと同様にユーザ装置(UE)がハンドオーバを行う際の手順を示す。図11B及び図11Cにおいても図11Aと同様な手順が行われるので、同じ手順には同じ参照番号が付されている。
【００９２】
図11Bに示す例では、ハンドオーバの前に、Sセルが追加されかつアクティブ状態である。しかしながら、標準仕様に従って、ステップ112のハンドオーバコマンドの受信後に非アクティブ状態になる。そこで、ステップ114において、基地局(eNB)はSセルをアクティブ化するためのSCCメッセージを含む制御メッセージをユーザ装置(UE)に通知する。これにより、ユーザ装置(UE)はSセルをアクティブ化する。
【００９３】
図11Cに示す例では、ハンドオーバの前に、Sセルが追加されてはいるが、非アクティブ状態である。この場合、ステップ112のハンドオーバコマンドの送受信の後に、Sセルの状態を変更する必要はない。このため、ステップ113の後に基地局(eNB)は制御メッセージをユーザ装置(UE)に送信していない。
【００９４】
図9のステップ97、図10のステップ106、図11Aのステップ114、図11Bのステップ114のように、Sセルのアクティブ化又は非アクティブ化以外の指示情報をユーザ装置(UE)に通知する手順の後に、Sセルをアクティブ化又は非アクティブ化する指示情報(SCCメッセージ)をユーザ装置(UE)に通知することで、手順の効率化を図ることができる。
【００９５】
＜＜2.5  DRX状態遷移と共に行うSセルのアクティブ化/非アクティブ化＞＞
Sセルのアクティブ化又は非アクティブ化を行うための第5の契機は、ユーザ装置(UE)が間欠受信状態(DRX)から間欠受信状態でない状態(非DRX)に遷移する手順に基づく。ユーザ装置(UE)は、送受信するデータがなくなって一定期間が経過すると、制御信号を間欠的に受信する間欠受信状態(DRX)に移り、バッテリ消費量を節約する。
【００９６】
図12は、ユーザ装置(UE)がDRX状態から非DRX状態に移る際の手順を示す。先ず、ユーザ装置(UE)はDRX状態であった場合に、そのユーザ装置(UE)に送信すべきデータが発生したとする。DRX状態の場合、Sセルは非アクティブ化の状態(非アクティブ状態)である。この場合、ステップ121において、基地局(eNB)は同期をとることを要求する同期リクエスト(Sync  Request)のメッセージをユーザ装置(UE)に通知する。これにより、ステップ122において、ランダムアクセス(RA)手順が行われ、ユーザ装置(UE)は、DRX状態から非DRX状態に遷移する。この段階において、Sセルは非アクティブ化の状態(非アクティブ状態)である。
【００９７】
なお、ユーザ装置(UE)がDRX状態であった場合において、上りデータが発生した場合、ランダムアクセス(RA)手順はユーザ装置(UE)の側から開始される。
【００９８】
ステップ123において、基地局(eNB)は、Sセルをアクティブ化するためのSCCメッセージを含む制御メッセージをユーザ装置(UE)に通知する。これにより、ユーザ装置(UE)は、必要に応じてPセル及びSセルを用いたCAにより通信を実行できるようになる。
【００９９】
図12に示す例では、下りデータが発生したことに応じてSセルがアクティブ化されたが、開示される発明はそのような場合に限定されず、下りデータの発生とは別に基地局(eNB)はSセルのアクティブ化又は非アクティブ化を行ってもよい。ただし、Sセルのアクティブ化又は非アクティブ化を行う場合、ユーザ装置(UE)は非DRX状態である必要がある。従って、DRX状態であったユーザ装置(UE)は、図12のステップ122のようなRA手順後に、DRX状態から非DRX状態に遷移する。そして、Sセルがアクティブ化又は非アクティブ化された後、ユーザ装置(UE)は再び元のDRX状態に遷移してもよい。
【０１００】
＜＜2.6  周期的なSセルのアクティブ化/非アクティブ化＞＞
Sセルのアクティブ化又は非アクティブ化を行うための第6の契機は、周期的なタイミングに基づく。図13は周期的なタイミングに基づいてSセルをアクティブ化及び非アクティブ化する様子を示す。この場合、Sセルをアクティブ化する周期的なタイミングを計測するアクティブ化タイマと、Sセルを非アクティブ化する周期的なタイミングを計測する非アクティブ化タイマとが使用される。アクティブ化タイマの周期は非アクティブ化タイマの周期より長い。この場合、図示されているように、アクティブ化タイマが満了する毎に、Sセルをアクティブ化するためのSCCメッセージが基地局(eNB)からユーザ装置(UE)へ通知される。基地局(eNB)はこのSCCメッセージの通知と共に、アクティブ化タイマを起動する。ユーザ装置(UE)はSCCメッセージの受信と共に非アクティブ化タイマを起動する。アクティブ化タイマより短い非アクティブ化タイマが満了すると、ユーザ装置(UE)はアクティブ化されたSセルを非アクティブ化する。Sセルを非アクティブかするために何らのメッセージもユーザ装置(UE)に通知しておらず、ユーザ装置(UE)が自律的にSセルを非活性化している点に留意を要する。このように、基地局(eNB)はアクティブ化タイマによる周期の度にSセルをアクティブ化することをユーザ装置(UE)に通知すると共に、ユーザ装置(UE)は非アクティブ化タイマによる周期の度にSセルを非アクティブ化する。すなわち、アクティブ化タイマ及び非アクティブ化タイマが起動した後、非アクティブ化タイマが満了するまでの間は、Sセルがアクティブ化されている。そして、非アクティブ化タイマが満了した後、Sセルアクティブ化タイマ及びSセル非アクティブ化タイマが再び起動するまでの間は、Sセルが非アクティブ化されている。
【０１０１】
このように、アクティブ化タイマ及び非アクティブ化タイマに基づいて、周期的にSセルをアクティブ化及び非アクティブ化することで、ユーザ装置(UE)がCAにより通信できる時間を、時間軸上で分散することができる。
【０１０２】
＜＜2.7  UEからの要求に基づくSセルのアクティブ化/非アクティブ化＞＞
Sセルのアクティブ化又は非アクティブ化を行うための第7の契機は、ユーザ装置(UE)の要求に基づく。図14はユーザ装置(UE)からの要求に応じてSセルをアクティブ化又は非アクティブ化する際の動作例を示す。
【０１０３】
ステップ141に示すように、Sセルが追加されているユーザ装置(UE)が、バッテリセービングを行うこと(例えば、DRX状態に遷移すること)を希望するバッテリセービング要求のメッセージを基地局(eNB)に送信する。これに応じて基地局(eNB)はSセルを非アクティブ化することを決定する。
【０１０４】
ステップ142おいて、基地局(eNB)は、Sセルを非アクティブ化することを示すSCCメッセージを含む制御メッセージをユーザ装置(UE)に通知する。これにより、以後、ユーザ装置(UE)は、Sセルを非アクティブ化する。
【０１０５】
図示の例では、ユーザ装置(UE)によるバッテリセービング要求に応じてSセルを非アクティブ化していたが、実施の形態はこの例に限定されない。例えば、ステップ141の代わりにユーザ装置(UE)が高速通信を要求するメッセージを基地局(eNB)に送信し、これに応答してステップS142によりSセルがアクティブ化されてもよい。更に、例えば、ステップ141の代わりにユーザ装置(UE)がトラフィックバッファの状態(データ滞留量を示してもよい)を基地局(eNB)に通知し、これに応答してステップ142によりSセルがアクティブ化又は非アクティブ化されてもよい。バッテリセービング要求、高速通信要求及びバッファ状態の通知は、単なる一例にすぎず、ユーザ装置(UE)からの何らかの要求に応じてSセルがアクティブ化又は非アクティブ化されてもよい。
【０１０６】
＜＜2.8  ベアラ種別に基づくSセルのアクティブ化/非アクティブ化＞＞
Sセルのアクティブ化又は非アクティブ化を行うための第8の契機は、ユーザ装置(UE)について設定されたベアラ種別に基づく。ユーザ装置(UE)が通信を行う場合、データ種別毎にベアラが設定される。例えばベストエフォート(Best  Effort：BE)型のデータ通信を行う場合、多くのデータ量が送受信されることが予想されるので、Sセルをアクティブ化することが考えられる。逆に、音声データを送受信する場合、送受信されるデータ量は多くないことが予想されるので、Sセルをアクティブ化しない（或いは設定されているSセルを非アクティブ化する）ようにすることが考えられる。
【０１０７】
図15はベアラ種別に基づいてSセルをアクティブ化する例を示す。ステップ151において、基地局(eNB)は、BE型のデータ通信を行うためのベアラを追加することを決定したとする。
【０１０８】
ステップ152において、基地局(eNB)は、Sセルをアクティブ化することの通知(Sセルのアクティブ化を示すSCCメッセージ)をユーザ装置(UE)に送信する。これにより、ユーザ装置(UE)は、CAにより通信を実行できるようになる。
【０１０９】
仮に、ユーザ装置(UE)にSセルが設定されていた場合において、ステップ151でBEタイプのデータ通信ではなく、音声データを送受信するベアラをアクティブ化することを決定した場合、ステップ152において、Sセルを非アクティブ化することがユーザ装置(UE)に通知される。
【０１１０】
2.1-2.8において説明した8つの契機は一例にすぎず、他の契機が使用されてもよい。また、Sセルのアクティブ化及び非アクティブ化はSセル1つずつ行われてもよいし、2つ以上のSセルが一度にアクティブ化及び非アクティブ化されてもよい。更に、2.1-2.8の8つの契機は単独で使用されてもよいし、8つの契機のうちの任意の2つ以上の組み合わせが使用されてもよい。特に、2.1におけるSセルの品質の良否、2.3におけるデータ滞留量の多少及び2.8におけるベアラ種別に基づいて、1つ以上のSセルのアクティブ化及び非アクティブ化が決定されてもよい。
【０１１１】
＜3．基地局＞
図16は基地局の機能ブロック図を示す。図16には基地局に備わる様々な機能部又は処理部のうち実施の形態に特に関連するものが示されている。図16に示す基地局は図1に示す基地局11、13及び/又は15である。基地局は、DL信号送信部161と、UL信号受信部162と、閾値判定部163と、Sセル管理部164と、制御メッセージ生成部165とを少なくとも有する。
【０１１２】
DL信号送信部161は、ユーザ装置に信号を送信するための処理を行う。
【０１１３】
UL信号受信部162は、ユーザ装置からの信号を受信するための処理を行う。
【０１１４】
閾値判定部163は、所定の測定対象の測定値と閾値とを比較及び/又は判定し、比較結果及び/又は判定結果をSセル管理部164に通知する。所定の測定対象は、Sセルの品質、基地局(eNB)の処理負荷及びユーザ装置(UE)のデータ滞留量等である。閾値は、アクティブ化閾値及び非アクティブ化閾値である。
【０１１５】
Sセル管理部164は、基地局が管理する複数のセルによるキャリアアグリゲーション(CA)に関する制御又は管理をユーザ装置(UE)毎に行う。Sセル制御部164は、例えば、ユーザ装置がCAを行っているか否か、行っている場合は何れのセルがPセルであり何れのセルがSセルであるか、Sセルを追加するか否か、Sセルを削除するか否か、追加されているSセルをアクティブ化(activate)するか否か、アクティブ化されているSセルを非アクティブ化(deactivate)するか否か等を管理する。
【０１１６】
制御メッセージ生成部165は、ユーザ装置(UE)に通知する制御メッセージを生成する。実施の形態における制御メッセージは、RRCメッセージ等によりユーザ装置(UE)に通知する任意のメッセージを含んでよい。例えば、制御メッセージはSセルをアクティブ化することを示すSCCメッセージを含む。あるいは、制御メッセージはSセルを非アクティブ化することを示すSCCメッセージを含む。
【０１１７】
以上、CAを適切な契機で行う実施の形態を説明してきたが、開示される発明はそのような形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、2以上の項目に記載された事項が必要に応じて組み合わせて使用されてよいし、ある項目に記載された事項が、別の項目に記載された事項に(矛盾しない限り)適用されてよい。機能ブロック図における機能部又は処理部の境界は必ずしも物理的な部品の境界に対応するとは限らない。複数の機能部の動作が物理的には1つの部品で行われてもよいし、あるいは1つの機能部の動作が物理的には複数の部品により行われてもよい。説明の便宜上、基地局は機能的なブロック図を用いて説明されたが、そのような装置はハードウェアで、ソフトウェアで又はそれらの組み合わせで実現されてもよい。本発明に従って動作するソフトウェアは、ランダムアクセスメモリ（RAM）、フラッシュメモリ、読み取り専用メモリ（ROM）、EPROM、EEPROM、レジスタ、ハードディスク（HDD）、リムーバブルディスク、CD−ROM、データベース、サーバその他の適切な如何なる記憶媒体に保存されてもよい。本発明は上記実施例に限定されず、本発明の精神から逸脱することなく、様々な変形例、修正例、代替例、置換例等が本発明に包含される。
【符号の説明】
【０１１８】
161  DL信号送信部
162  UL信号受信部
163  閾値判定部
164  Sセル管理部
165  制御メッセージ生成部
【図１】
2014049932.tif 000003
【図２】
2014049932.tif 000004
【図３】
2014049932.tif 000005
【図４Ａ】
2014049932.tif 000006
【図４Ｂ】
2014049932.tif 000007
【図５】
2014049932.tif 000008
【図６】
2014049932.tif 000009
【図７】
2014049932.tif 000010
【図８】
2014049932.tif 000011
【図９】
2014049932.tif 000012
【図１０】
2014049932.tif 000013
【図１１Ａ】
2014049932.tif 000014
【図１１Ｂ】
2014049932.tif 000015
【図１１Ｃ】
2014049932.tif 000016
【図１２】
2014049932.tif 000017
【図１３】
2014049932.tif 000018
【図１４】
2014049932.tif 000019
【図１５】
2014049932.tif 000020
【図１６】
2014049932.tif 000021